(57)【要約】【課題】磁気に加え電波でも対応でき、各商品等の情報をメモリーでき、盗難防止に加え、商品の管理や商談等がスムーズに実行することができることとしたセキュリティタグとする。【解決手段】折り合わされて接着され、表面に価格やバーコード等の表示がなされるタグ本体を有し、そのタグ本体の接着される内面の一部に軟磁性材による箔層及び、その箔層と位置をずらせてパックされた無線ＩＣチップを備えていることとし、軟磁性材をパウダー化してインクに配合し、そのインクでバーコードを表面に印刷してあることとし、無線ＩＣチップを内蔵したケースタグ本体を有し、そのケースタグ本体に取り付けられた吊持用紐体の先端に備えられた挿し込み係止部を導電性金属で成形するとともに、前記吊持用紐体にアンテナ用として金属線を組み付けてあることとする。【選択図】          図１
2004227508.tif 000002
【特許請求の範囲】
【請求項１】
折り合わされて接着され、表面に価格やバーコード等の表示がなされるタグ本体を有し、そのタグ本体の接着される内面の一部に軟磁性材による箔層及び、その箔層と位置をずらせてパックされた無線ＩＣチップを備えていることを特徴とするセキュリティタグ。
【請求項２】
前記した軟磁性材による箔層としてニッケル箔など半硬質磁性膜とアモルファスをラミネートやスパッタリングや蒸着したものを用いてあることを特徴とする請求項１に記載のセキュリティタグ。
【請求項３】
軟磁性材をパウダー化してインクに配合し、そのインクでバーコードを表面に印刷してあることを特徴とするセキュリティタグ。
【請求項４】
無線ＩＣチップを内蔵したケースタグ本体を有し、そのケースタグ本体に取り付けられた吊持用紐体の先端に備えられた挿し込み係止部を導電性金属で成形するとともに、前記吊持用紐体にアンテナ用として金属線を組み付けてあることを特徴とするセキュリティタグ。
【請求項５】
前記した金属線として軟磁性材のものを用い、スリットして撚り込んであることを特徴とする請求項４に記載のセキュリティタグ。
【請求項６】
前記した金属線を紐体の外周にコイル状に巻装してあることを特徴とする請求項４に記載のセキュリティタグ。
【発明の詳細な説明】
【０００１】
【発明の属する技術分野】
本発明はセキュリティタグに関し、主として店頭、店内にある商品の万引を防止し、公共施設の備品等の不法な持ち去りも防止できるとともに、商品のデータをメモリーしておくことのできるセキュリティタグに関する。
【０００２】
【特許文献】
特願平１１−１９５９１９号
【０００３】
【発明の背景】
従来より、商品や備品の盗難防止のため、磁性材を商品等に貼着されるバーコードシールの裏面や、価格や品質等を表示したタグに備えて、磁気を利用した感知システムと対応させて商品等の不法な持ち去り行為を監視し、防止することが行われていた。
【０００４】
この上記したシステムはシール（ラベル）やタグが商品等から剥離したり、カット、破壊等がされ易く、本来の機能を発揮できなくなる場合も多く、商品等の種類によってはシールやタグを装備させておく自体が難しいものもあった。そこで、本発明の発明者は前記した特許文献に示される発明をなした。
【０００５】
この特許文献に示される技術は軟磁性のファイバーを糸に組み込み、その糸によって磁気による感知システムと対応させようとするものである。
【０００６】
【発明が解決しようとする課題】
しかしながら、前記した特許文献に示されるセキュリティ糸のように磁気の感知のみであっては数多い商品を正確に監視し、また、棚卸し等を含めた広い意味での店舗側における商品管理も十分になし得ることは難しいものがあった。
【０００７】
【発明の目的】
そこで、本発明は上記した実情、問題点に着目してなされたもので、かかる問題点を解消して、磁気に加え電波でも対応でき、各商品等の情報をメモリーでき、盗難防止に加え、商品の管理や商談等がスムーズに実行することができることとしたセキュリティタグを提供することを目的としている。
【０００８】
【課題を解決するための手段】
この目的を達成するために、本発明に係るセキュリティタグは折り合わされて接着され、表面に価格やバーコード等の表示がなされるタグ本体を有し、そのタグ本体の接着される内面の一部に軟磁性材による箔層及び、その箔層と位置をずらせてパックされた無線ＩＣチップを備えていることを特徴とし、前記した軟磁性材による箔層としてニッケル箔など半硬質磁性膜とアモルファスをラミネートやスパッタリングや蒸着したものを用いてあることを特徴としている。
【０００９】
また、本発明に係るセキュリティタグは軟磁性材をパウダー化してインクに配合し、そのインクでバーコードを表面に印刷してあることを特徴としている。
【００１０】
さらに、本発明に係るセキュリティタグは無線ＩＣチップを内蔵したケースタグ本体を有し、そのケースタグ本体に取り付けられた吊持用紐体の先端に備えられた挿し込み係止部を導電性金属で成形するとともに、前記吊持用紐体にアンテナ用として金属線を組み付けてあることを特徴とし、前記した金属線として軟磁性材のものを用い、スリットして撚り込んであることを特徴とし、前記した金属線を紐体の外周にコイル状に巻装してあることを特徴としている。
【００１１】
【作用】
上記した構成としたことによって盗難対策として磁気に加えて電波の対応もできることとなって、その正確性が向上することとなり、無線ＩＣチップを具備させたことで、そこに商品情報がメモリーでき、商談をはじめ、出入庫、在庫の管理等も煩わしさがなく、スピーディに実行することができることとなるのである。
【００１２】
【発明の実施の形態】
次に、本発明の好ましい実施の形態を図面を参照して説明する。図１は本発明を実施したセキュリティタグの開いた状態を示す斜視図、図２は同じく無線ＩＣチップの正面図、図３は同じくセキュリティタグの製造過程を示す正面図、図４は同じく断面図、図５は同じくケースタグとした場合の斜視図、図６は同じく紐部分における金属線の撚り込みを示す拡大図、図７は同じく巻装状態の一部を示す斜視図、図８は同じく他の例を示す斜視図である。
【００１３】
これらの図にあって１は本発明を実施したセキュリティタグ本体を示している。このセキュリティタグ本体１は紙やプラスチックフィルム等によって成形され二折りされて内面を貼着した状態で使用されることとなり、必要に応じて商品への吊持用の糸やファスナー等を挿通する挿通孔１５を穿設することもできる。
【００１４】
このセキュリティタグ本体１の内面の一部、本実施の形態にあっては二折りされる一方側の外端寄りの位置に軟磁性材による箔層２が備えられている。この軟磁性材による箔層２は軟磁性を示す金属磁性材料ならば、結晶構造や合金組成に特に限定はないが、磁気に感応する防犯ゲートとの対応から５ｍＯｅ、１ｋＨｚの励磁磁界における透磁率が１０００以上の高透磁力を持つものが好ましい。
【００１５】
かかる点から、軟磁性材の箔層２としてはパーマロイ、Ｆｅ−Ｓｉ合金、アモルファス金属等が使用できるが、本実施の形態では特に高透磁性を示すＣｏ−Ｆｅ−Ｓｉ−Ｂを主成分とするアモルファス金属が採用されている。
【００１６】
また、本実施の形態における箔層２には、前記したアモルファス金属の磁気特性を失活させるため半硬質磁性材料としてニッケル箔（フォイル）をラミネートしてある。そして、この箔層２は低圧容器中に２極電源を入れ、マイナスからプラスへ分子を飛散付着させるスパッタリングにより成形されたものとなっている。
【００１７】
係る形態のセキュリティタグ本体１は図３、図４に示すようにして得ることができる。ロールされる長尺のベースシート３上にセキュリティタグ本体１となる紙葉やフィルムが剥離可能にラミネートされており、そのベースシート３にラミネートされる紙葉やフィルムの略中央に前記した箔層２が連続して形成されているもので、これを長手方向にカットライン４に沿って切断することでセキュリティタグ本体１が剥離可能にラミネートされた製品となり、即ち、ベースシート３の長手方向に沿って同時に対向して二つのセキュリティタグ本体１がラミネートされた製品が得られる。セキュリティタグ本体１とベースシート３との間には接着剤５が介在されている状態であることは勿論である。
【００１８】
さらに、このセキュリティタグ本体１の内面には前記した箔層２と位置をずらせて無線ＩＣチップ６を内蔵したチップパック６ａが貼着あるいはセキュリティタグ本体１の二折りによる挟持によって設けられており、必要に応じてセキュリティタグ本体１を塩ビ製のバッグ等に収納してしまうこともできる。
【００１９】
このチップパック６ａ内にあって無線ＩＣチップ６にはチップパック６ａの周縁近くを巻回するアンテナ部６ｂが接続されており、０．１〜１０３ｍ程度の電波との対応も可能となっている。これは２００２年度における電波法の改正緩和により実施が可能となっている。
【００２０】
また、前記した無線ＩＣチップ６にはセキュリティタグ本体１が取り付けられる商品の情報をメモリーさせておくことができ、特に宝飾品関係にあってはその宝飾品の収容ケースを商談トレーに載せ（複数段可能）、モニター画面にその商品の情報を表示することでスムーズな商談もできることとなり、ショーケース等にある商品はハンドスキャナによって情報を読み取り、前記と同様にモニター画面に情報を表示することも可能とされている。
【００２１】
一方、図３、図４として示すセキュリティタグ本体１の製作過程にあってセキュリティタグ本体１部分の表面には価格等の表示７や必要に応じてバーコード８がプリントされることとなるが、バーコード８のプリントに際し、そのインクに前記した軟磁性材の金属をパウダー化して配合しておくと、磁気感応のゲートと対応させることもでき、また、バーコード８自体に簡略な商品情報を入れておくことが可能となる。
【００２２】
また、図５乃至図８は別の実施の形態を示すもので、外観的には既知のケースタグ９が採用され、このケースタグ９の表面に価格やブランドを表示することも、あるいは別途に用意されるタグを付設させて使用することもできる。
【００２３】
このケースタグ９内には前記したと同様の無線ＩＣチップが内蔵され、商品に吊持するための紐体１０が装備されている。この紐体１０の先端には受穴１１へ挿し込むことでロック状態とされる挿し込み係止部１２が備えられているが、この挿し込み係止部１２は導電性の金属で形成され、内部の無線ＩＣチップと電気的に接続されるものとされている。
【００２４】
また、前記した紐体１０には前記したアモルファス金属をスリットした線材１３が撚り込まれており、磁気感応式の防犯ゲートへの対応とともに、電波に対応するアンテナとしても作用するものとされているもので、アンテナの作用を大きく得るためにはアモルファス金属の線材１３の表面積を広げるため、紐体１０の原材にファイバーとして組み込むこと等も可能である。
【００２５】
さらに、前記した例のほかにも銅線１４を紐体１０の表面にコイル状に巻装してしまうことも可能で、アンテナ効はさらに大きなものとなるうえ、紐体１０自体にバネ性を保有させることができ、商品の吊持状態での一律性を保つこともできるものとなる。この際の紐体１０は芯線１０ａとして撚りのない単線を用いることもできる。
【００２６】
本実施の形態に係るセキュリティタグは上記のように構成されている。ここで無線ＩＣチップ６は情報の消去とリライトを可能なものとしておくことで、商品の売却後もリサイクル使用することができるものとなる。
【００２７】
【発明の効果】
本発明に係るセキュリティタグは上述のように構成されている。そのために、磁気に加え、電波でも対応して万全な盗難防止を図れることとなる。また、タグに無線ＩＣチップを備えて商品情報をメモリーしておくことで、商談をはじめ、広い範囲での商品管理も煩わしさがない容易な作業とすることができるものとなっている。
【図面の簡単な説明】
【図１】本発明を実施したセキュリティタグの開いた状態を示す斜視図である。
【図２】無線ＩＣチップの正面図である。
【図３】セキュリティタグの製造過程を示す正面図である。
【図４】断面図である。
【図５】ケースタグとした場合の斜視図である。
【図６】紐部分における金属線の撚り込みを示す拡大図である。
【図７】巻装状態の一部を示す斜視図である。
【図８】他の例を示す斜視図である。
【符号の説明】
１  セキュリティタグ本体
２  箔層
３  ベースシート
４  カットライン
５  接着剤
６  無線ＩＣチップ
６ａ  チップパック
６ｂ  アンテナ部
７  表示
８  バーコード
９  ケースタグ
１０  紐体
１０ａ  芯線
１１  受穴
１２  挿し込み係止部
１３  スリットした線材
１４  銅線
１５  挿通孔
【図１】
2004227508.tif 000003
【図２】
2004227508.tif 000004
【図３】
2004227508.tif 000005
【図４】
2004227508.tif 000006
【図５】
2004227508.tif 000007
【図６】
2004227508.tif 000008
【図７】
2004227508.tif 000009
【図８】
2004227508.tif 000010